(57)【要約】【課題】帽体の外部に各種部材が突出しない撮影機能付きヘルメットを提供する。【解決手段】帽体１１の前頭部側に撮影孔１７を設け、撮影装置２０を帽体１１内に設け、撮影装置２０の撮影開口を撮影孔１７に設けたもので、撮影装置２０を帽体１１内に設けることで、帽体１１の外部への突出を無くすことができるので安全性を高めることができる。【選択図】        図１
2006176931.tif 000002
【特許請求の範囲】
【請求項１】
帽体と、前記帽体内に装着される内装を有するヘルメットであって、前記帽体の前頭部側に撮影孔を設け、撮影装置を前記帽体内に設け、前記撮影装置の撮影開口を前記撮影孔に僅かに突出する程度で設けたことを特徴とする撮影機能付きヘルメット。
【請求項２】
前記撮影装置を、前記帽体と前記内装との間の空間に配置したことを特徴とする請求項１に記載の撮影機能付きヘルメット。
【請求項３】
前記撮影開口の方向を変更する調整機構を設けたことを特徴とする請求項１に記載の撮影機能付きヘルメット。
【請求項４】
前記撮影装置からの映像信号を無線で送信する送信装置を、前記帽体と前記内装との間の空間に収容したことを特徴とする請求項２に記載の撮影機能付きヘルメット。
【請求項５】
前記帽体外に設けられた映像処理回路に前記撮影装置からの映像信号を有線で送るためアウトプット端子のジャックおよび／またはプラグを、前記帽体内の前記帽体と前記内装との間の空間に収容したことを特徴とする請求項２に記載の撮影機能付きヘルメット。
【請求項６】
前記帽体を、工事用の保護帽としたことを特徴とする請求項２に記載の撮影機能付きヘルメット。
【発明の詳細な説明】
【技術分野】
【０００１】
本発明は、撮影機能付きヘルメットに関する。
【背景技術】
【０００２】
工事現場の状況などを確認するために、ビデオカメラなどで工事現場を撮影し、撮影画像を有線あるいは無線通信により工事現場などから離れた工事管理本部においてモニタ上に表示する方法が知られている。この場合、工事現場において作業員がハンズフリーの状態でカメラ撮影ができるように、ヘルメットに撮影カメラを取り付けて撮影を行えば便利である。しかし、この場合にはカメラの撮影範囲を確認できないので目標とする場所を撮影できない。そこで、例えば、特許文献１に開示されているように、ヘルメットに可動フレームを取り付け、この可動フレームにビデオカメラを取り付けると共に可動フレームの前面にビデオ表示器を取り付けたものが提案されている。工事現場などを撮影する場合には、可動フレームを前方に倒してビデオ表示器が眼前に位置するようにセットし、ヘルメット装着者はその眼前に位置しているビデオ表示器に表示されている撮影映像を確認しながら、目標とする場所にカメラが向くように頭の向きを変えて撮影を行うことができる。
しかしながら、このカメラ付きのヘルメットでは、カメラの撮影範囲を確認するために液晶板などからなるビデオ表示器をカメラ用ファインダとして用いている。このため、カメラ付きヘルメットの製造コストが高騰してしまうという問題がある。また、撮影時にはビデオ表示器によって視界が遮られるので、歩きながらの撮影や簡単な作業をしながらの撮影ができないという不便さがあり、また保安の点からも問題である。
そこで、ヘルメットなどの頭部装着具に取付けられた撮像カメラの撮影範囲を簡単に確認でき、廉価に構成できる撮像カメラ用ファインダ、このファインダを備えたファインダ付き撮像カメラ、および、このファインダ付き撮像カメラを備えたカメラ付き頭部装着具を既に提案している（特許文献２）。
また、ヘルメットに関して、帽体の外部に各種部材を突出して設けることは、特許文献３や特許文献４等にも記載されている。
【特許文献１】特開平９−９８３９５号公報
【特許文献２】特開２００３−３３７３６４号公報
【特許文献３】特開２００３−３７６８１号公報
【特許文献４】特開平１１−１３８８２６号公報
【発明の開示】
【発明が解決しようとする課題】
【０００３】
しかし、これらは、帽体外の部材が周辺との接触を起こし、安全性の面で好ましくない。特に工事用の保護帽にあっては、好ましくない。
【０００４】
そこで本発明は、帽体の外部に各種部材が突出しない撮影機能付きヘルメットを提供することを目的とする。
【課題を解決するための手段】
【０００５】
請求項１記載の本発明の撮影機能付きヘルメットは、帽体と、前記帽体内に装着される内装を有するヘルメットであって、前記帽体の前頭部側に撮影孔を設け、撮影装置を前記帽体内に設け、前記撮影装置の撮影開口を前記撮影孔に設けたことを特徴とする。
請求項２記載の本発明は、請求項１に記載の撮影機能付きヘルメットにおいて、前記撮影装置を、前記帽体と前記内装との間の空間に配置したことを特徴とする。
請求項３記載の本発明は、請求項１に記載の撮影機能付きヘルメットにおいて、前記撮影開口の方向を変更する調整機構を設けたことを特徴とする。
請求項４記載の本発明は、請求項２に記載の撮影機能付きヘルメットにおいて、前記撮影装置からの映像信号を無線で送信する送信装置を、前記帽体と前記内装との間の空間に収容したことを特徴とする。
請求項５記載の本発明は、請求項２に記載の撮影機能付きヘルメットにおいて、前記帽体外に設けられた映像処理回路に前記撮影装置からの映像信号を有線で送るためアウトプット端子のジャックおよび／またはプラグを、前記帽体内の前記帽体と前記内装との間の空間に収容したことを特徴とする。
請求項６記載の本発明は、請求項２に記載の撮影機能付きヘルメットにおいて、前記帽体が、工事用の保護帽としたことを特徴とする。
【発明の効果】
【０００６】
本発明によれば、撮影装置を帽体内に設けることで、撮影装置を物にぶつけたり、引っ掛けたりして、ヘルメットの装着がずれたり、装着者が転倒するなどの危険を防止し、安全性を高めることができる。また、高価な撮影装置を損傷から防ぐことができ、再使用を可能とするし、あるいは、ヘルメットが変形しても、そのままの使用を継続できる。更に、本発明によれば、ヘルメット強度を損ねないことによる安全性も高い。また、本発明によれば、軽量化を図ることができ、装着者の動きに支障を与えることがなくなり、そのための安全性、作業性を向上できる。
【発明を実施するための最良の形態】
【０００７】
本発明の第１の実施の形態による撮影機能付きヘルメットは、帽体の前頭部側に撮影孔を設け、撮影装置を帽体内に設け、撮影装置の撮影開口を撮影孔に設けたものである。本実施の形態によれば、撮影装置を帽体内に設けることで、帽体の外部への突出を実質的に無くすことができるので安全性を高めることができる。
本発明の第２の実施の形態は、第１の実施の形態による撮影機能付きヘルメットにおいて、撮影装置を、帽体と内装との間の空間に配置したものである。本実施の形態によれば、帽体に外部からの衝撃が加わったとしても装着者に支障をきたすことが無い。
本発明の第３の実施の形態は、第１の実施の形態による撮影機能付きヘルメットにおいて、撮影開口の方向を変更する調整機構を設けたものである。本実施の形態によれば、装着者によって生じる撮影方向を装着時に調整することができる。
本発明の第４の実施の形態は、第２の実施の形態による撮影機能付きヘルメットにおいて、撮影装置からの映像信号を無線で送信する送信装置を、帽体と内装との間の空間に収容したものである。本実施の形態によれば、送信装置を帽体内に設けることで、帽体の外部への突出を実質的に無くすことができるので安全性を高めることができる。
本発明の第５の実施の形態は、第２の実施の形態による撮影機能付きヘルメットにおいて、帽体外に設けられた映像処理回路に撮影装置からの映像信号を有線で送るためアウトプット端子のジャックおよび／またはプラグを、帽体内の帽体と内装との間の空間に収容したものである。本実施の形態によれば、アウトプット端子のジャックおよび／またはプラグを帽体内に設けることで、帽体の外部への突出を実質的に無くすことができるので安全性を高めることができる。
本発明の第６の実施の形態は、第２の実施の形態による撮影機能付きヘルメットにおいて、帽体を工事用の保護帽としたものである。本実施の形態によれば、特に工事用の保護帽にあっては、帽体外の部材が周辺との接触を起こすことがないので、安全性の高いヘルメットを提供することができる。
【実施例１】
【０００８】
以下本発明の実施例について図面とともに詳細に説明する。
図１は本発明の一実施例による撮影機能付きヘルメットの内部構造図、図２は同撮影機能付きヘルメットの正面図、図３は同撮影機能付きヘルメットの側面図、図４は同撮影機能付きヘルメットの要部拡大断面図である。
図１に示すように、ヘルメット１０は、帽体１１と、この帽体１１の内部に設けられた衝撃吸収用の内装１２と、この内装１２よりも更に頭部側に配置されるハンモック１３と、装着者の頭部周囲を囲繞するヘッドバンド１４と、帽体１１の両側部から装着者側に延出させたあごひも１５と、装着者の視野方向に配設されるシールド１６とを備えている。ヘッドバンド１４には、装着者の頭部に合わせて変更できるサイズ調整機能を備えており、このサイズ調整機能は、頭部側に配置されていることが好ましい。シールド１６は、帽体１１内への収納が可能なように、スライド機構を備えている。また、帽体１１の内部には、撮影装置２０、電気回路３０、及び送信装置３１が設けられ、撮影装置２０、電気回路３０、及び送信装置３１は配線３２によって接続されている。撮影装置２０には、撮影方向を変更する調整機構２０Ａを有している。この調整機構２０Ａは、撮影装置２０からつば１１Ａ側に延出して設けられている。
【０００９】
また、図２及び図３に示すように、帽体１１の前頭部側の縁部には、つば１１Ａが形成されるとともに、帽体１１の前頭部側には、つば１１Ａから帽体１１の頂部に向かって延びる所定幅の突部１１Ｂが形成されている。なお、この突部１１Ｂによって、帽体１１の内側には収容空間が形成されている。この収納空間は、帽体１１と、内装１２又はシールド１６との間に形成される空間である。
また、図２に示すように、シールド１６にはファインダ１６Ａを形成している。このファインダ１６Ａは、装着者の一方の眼球と対向する位置に形成されている。
図１及び図２に示すように、帽体１１の突部１１Ｂには、撮影孔１７が形成されている。撮影孔１７は、帽体１１に空けられた内外に通じる孔で、最も典型的には、撮影レンズ２４が帽体１１の外部に配置し、撮影装置２０が帽体１１内に配置されるように設けたものである。
撮影装置２０、電気回路３０、及び送信装置３１は、突部１１Ｂによって形成される収容空間に配置され、帽体１１に固定されている。また、図示はしないが、帽体１１外に設けられる映像処理回路に撮影装置２０からの映像信号を有線で送るためアウトプット端子のジャックおよび／またはプラグを、帽体１１と内装１２との間の空間に収容している。
なお、本実施例では、電気回路３０及び送信装置３１を突部１１Ｂによって形成される収容空間に配置した場合を示したが、電気回路３０及び送信装置３１を、帽体１１と内装１２との間に形成される空間、又は帽体１１とシールド１６との間に形成される空間に配置してもよい。
【００１０】
図４に示すように、撮影装置２０は、支持体２１に回動自在に設けられ、調整機構２０Ａによって回動されるように構成されている。調整機構２０Ａは、撮影装置２０、又は少なくとも撮影レンズ２４と光センサーの組み合わせ機構を、上下左右の方向に変換できるように機構的に構成されている。調整機構２０Ａは、モーター部またはピストン部を有することで、自動で動作することが好ましいが、手動で動作するものであってもよい。二つの操作方法を実現することが好ましく、一つは、ヘルメット装着時に撮影中心がファインダ１６Ａと一致するように調整する操作と、二つ目は、撮影中に好ましい方向に撮影方向を変更する操作である。撮影孔１７には、弾性部材２２が設けられており、撮影装置２０の鏡胴２３を保持している。この鏡胴２３が撮影開口を構成する。鏡胴２３内には、撮影レンズ２４が設けられている。固定部２５は、支持体２１を帽体１１に固定している。ここで撮影開口は、撮影レンズ２４そのものか、撮影レンズ２４のフード部分（撮影レンズ２４に不要な光が入らないように撮影レンズ２４を囲む鏡胴２３が撮影レンズ２４よりも前方に突き出したもの）が該当する。撮影開口は、帽体１１の外表面から突出しないことが好ましいが、５ミリメートル以内の突出寸法であれば、安全性を十分に確保することができる。なお、特に工事用の保護帽である場合には、１０ミリメートルでは安全性に問題があり、７ミリメートル程度でも問題がある。
【００１１】
なお、ヘルメット１０の前頭部とは、本実施例に示すようにつば１１Ａを有する場合には、つば１１Ａの上部であり、つば１１Ａの無いものでは、装着者の頭の前頭部に相当する部分、望ましくは、ヘルメット１０を頭部に装着したときに、視野方向と一致する部分である。
また、本実施例における撮像装置２０は、撮影レンズ２４とその後方のＣＣＤあるいはＣ−ＭＯＳなどの光センサーとを組み合わせ、画像処理回路などを組み合わせたものである。インターフェースや画像処理回路が外にあるときには、光センサーからの単なるアウトプットでもよく、そのときには、レンズと光センサーのみで構成される。
また、本実施例における送信装置３１は、インターフェース、映像処理回路、映像補正回路、無線送信回路、アンテナ、電源、及び必要に応じて受信回路を含むものである。これらは、テレビ装置の分野で一般的に使われているものを用いることができる。なお、送信装置３１は、ヘルメット１０の外部、例えば、装着者の腰あるいは胸に装着されてもよい。
撮影装置２０から送信装置３１への信号は、有線で送られ、送信装置３１から親器への信号は、無線および／または有線で送信される。
【産業上の利用可能性】
【００１２】
本発明の撮影機能付きヘルメットは、建築作業や土木作業などの工事現場における頭部保護用のヘルメット、オートバイなどの車両用のヘルメット、火災や地震などの震災時における頭部防護用のヘルメットに利用することができる。
【図面の簡単な説明】
【００１３】
【図１】本発明の一実施例による撮影機能付きヘルメットの内部構造図
【図２】同撮影機能付きヘルメットの正面図
【図３】同撮影機能付きヘルメットの側面図
【図４】同撮影機能付きヘルメットの要部拡大断面図
【符号の説明】
【００１４】
１０  ヘルメット
１１  帽体
１２  内装
１３  ハンモック
１４  ヘッドバンド
１５  あごひも
１６  シールド
２０  撮影装置
２０Ａ  調整機構
【図１】
2006176931.tif 000003
【図２】
2006176931.tif 000004
【図３】
2006176931.tif 000005
【図４】
2006176931.tif 000006